(57)【特許請求の範囲】
【請求項１】
瓦裏面に設けられる第1換気孔と、前記第1換気孔に連なる換気通路と、前記換気通路の内壁に該通路の一部を閉塞し通路に対して略垂直に形成される堰部と、前記換気通路の外気側に形成される第2換気孔と、を備える換気筒部を有する、屋根裏換気用の換気瓦に装着される屋根裏換気用器具であって、
前記屋根裏換気用器具は、換気用器具本体部と第1換気孔開閉部と中仕切り部と金網装着部とを有し、装着時には前記換気用器具本体部は換気瓦の第1換気孔に嵌め込まれ固定され、前記第1換気孔開閉部と前記中仕切り部と前記金網装着部は前記換気通路内に収められ、
前記換気用器具本体部は、前記換気瓦第1換気孔と類似の形状を有し、
前記第1換気孔開閉部は、前記換気用器具本体部に設けられる開閉用開口部と前記開閉用開口部に設置される蓋部と、前記蓋部の前記換気通路側に設置されるバネ部と前記バネ部を固定するバネ保持部と、を有し、
前記バネ部は、バネ周辺の気温に依存して収縮・伸長する形状記憶合金製であって、
前記蓋部は、バネ部周辺の気温が高い時には前記バネ部が収縮して蓋が開けられ、逆にバネ部周辺の気温が低い時には前記バネ部が伸長して蓋が閉じられる構造を有し、
前記中仕切り部は、前記換気用器具本体部の1辺に一体化して略垂直に形成され、前記堰部の換気通路に対する垂直面と類似の形状を有し、装着時には前記堰部に密着固定され、
前記金網装着部は、前記中仕切り部に一方の端を固定され前記第２換気孔まで到達する細長の矩形板であって、固定されない側の端は折り曲げられて前記第2換気孔を塞ぐ金網を装着することができ、
前記形状記憶合金製のバネ部の伸縮によって、野地板の開口部と前記屋根裏換気用器具の第1換気孔開閉部を通じて、自然に屋根裏の換気を行い得ることを特徴とする屋根裏換
気用器具。
【請求項２】
瓦裏面に設けられる前記第1換気孔と、前記第1換気孔に連なる換気通路と、前記換気通路の内壁に該通路の一部を閉塞し通路に対して略垂直に形成される堰部と、前記換気通路の外気側に形成される第2換気孔と、を備える換気筒部を有する屋根裏換気用の換気瓦に、請求項１に記載の屋根裏換気用器具を装着することを特徴とする屋根裏換気用器具付換気瓦。
【請求項３】
請求項２に記載の屋根裏換気用器具を装着することを特徴とする屋根裏換気用器具付換気瓦を野地板の上に葺く際に、前記屋根裏換気用器具付換気瓦を葺く位置に設けられる野地板の開口部と前記屋根裏換気用器具付換気瓦の間に設置されて、屋根裏換気用器具付換気瓦および野地板の開口部から雨水が屋根裏の中に侵入することを防御できる野地板用保護板であって、
前記野地板用保護板は第1保護板と第２保護板と、を有し、
前記第1保護板は、前記野地板の開口部に対峙する第1矩形孔部と、前記第1保護板の水上側の長辺に雨水の侵入防止用に前記瓦側への立ち上がり縁部と、前記第1矩形孔部の水上側の長辺に雨水の侵入防止用に野地板側への折り曲げ縁部と、を有し、
前記第２保護板は前記第1保護板の上に配置され、前記第1矩形孔部より開口面積が小さく前記第1矩形孔部に含まれる大きさの第2矩形孔部を有し、前記第2矩形孔部は前記屋根裏換気用器具付換気瓦の第1換気孔の位置に対応して左右にスライドして孔の位置を調整することを可能とする構造であって、
前記第２保護板は雨水の侵入防止用として、第２矩形孔部の水下側の長辺に、前記第１矩形孔部を通過して野地板側に傾斜し、その外周に前記屋根裏換気用器具付換気瓦側への立ち上がり縁を有する受け皿部を備え、前記第２矩形孔部の前記長辺以外の外周部に前記屋根裏換気用器具付換気瓦側への立ち上がり縁を有し、
前記瓦の第1換気孔の位置に対応して前記第2矩形孔部の位置調整をすることにより、野地板の開口部から屋根裏への雨水等の侵入を阻止できることを特徴とする野地板用保護板。
【請求項４】
請求項２に記載の屋根裏換気用器具付換気瓦と請求項３に記載の野地板用保護板とから構成され、
気温の変化に応じて屋根裏の自然換気を可能とすることを特徴とする屋根裏換気用器具付換気瓦装置。
【請求項５】
請求項４に記載の屋根裏換気用器具付換気瓦装置を屋根の棟付近の適当な位置に偶数個配置することにより、野地板の開口部からの雨水の侵入を阻止しつつ、気温の変化に応じて屋根裏の自然換気を実現することを特徴とする屋根裏換気方法。
【発明の詳細な説明】
【技術分野】
【０００１】
本発明は、屋根裏等の換気に有用な換気瓦、及び／又は、該換気瓦に設置する換気用器具に関する。
【背景技術】
【０００２】
近年、全世界的な規模における、二酸化炭素の排出量の削減、石油等の化石燃料への依存度を低減するために、人工的なエネルギーの消費を抑制する各種の施策、技術の開発が推進され、このような施策は「エコ」施策、このような施策を実現する各種の製品は「エコ」製品ともいわれ、官民一体で、これらの施策等が推進されている。
【０００３】
このような「エコ」施策の実現の一環として、エネルギーの消費の節減が考えられる。ここで、一般住宅においては、家屋の冷暖房のためのエネルギーの消費の節減が重要である。
一般的な家屋では、所謂瓦が屋根に葺かれている。
この瓦の葺かれた屋根に求められる機能としては、降雨時に雨水に対する防水機能が要求される。雨の降り方は、降雨時の風向き等により変化するために、瓦の葺き方に工夫がされている。
【０００４】
一般的な家屋では、屋根の下に天井が設けられる。そのために、天井と屋根の間には空間ができ、一般的には、この空間部分は屋根裏と呼ばれる。この屋根裏の空間は通常空気
で満たされ、また、空気自体は熱伝導率が低いので、この屋根裏の空間は外気と天井の下の空間との間の、断熱機能を果たし、家屋における冷暖房においては、屋根裏の温度と換気が重要な役割を果たすことになる。
【０００５】
具体的には、夏場は屋根に降り注ぐ日射量が多いために、屋根に葺かれた瓦の温度は、外気温より相当に高いものになり、屋根裏の空間の温度の上昇を招き、空気自体の熱伝導率は低いものの、徐々に、天井の下の屋内空間の温度の上昇を、招くこととなるので、屋根裏の空間の空気を換気すると、天井の下の屋内空間の温度の上昇を防止できる。
【０００６】
逆に、冬季は、屋根裏の空間を換気しないことにより、天井の下の屋内空間の中の熱が外気に、放出されてしまうことを防止できる。
【０００７】
係る観点より、屋根裏の一部に換気装置を設置し、主に電気を動力源として屋根裏の温度により、一定の温度以上になった場合には、換気扇を稼動させて、屋根裏内の空気を換気し、一定の温度未満の場合には、換気扇を稼動させないで、天井の下の屋内空間の中の熱が外気に、放出されてしまうことを防止する屋根裏換気装置が知られている。
【０００８】
しかしながら、このような屋根裏換気装置は電気というエネルギーを消耗し、また、機械部品であるので、メインテナンスが必要である。
【０００９】
そこで、発明者は、係る事情に鑑み、何らの人工的なエネルギーを必要とせず、また、
より安価で、設置が可能であり、夏場には屋根裏の空間の換気をし、冬場には屋根裏の空間の換気をしない機能を有する、屋根裏換気用器具、該屋根裏換気用器具付換気瓦、該屋根裏換気用器具付換気瓦装置、屋根裏換気方法を発明した。
【先行技術文献】
【特許文献】
【００１０】
【特許文献１】特開平１０―６１１３３
【発明の概要】
【発明が解決しようとする課題】
【００１１】
何らの人工的なエネルギーを必要とせず、また、安価で、設置が容易であり、夏場には、屋根裏の空間の換気をし、冬場には屋根裏の空間の換気をしない機能を有する、屋根裏換気用器具、該屋根裏換気用器具付換気瓦、該屋根裏換気用器具付換気瓦装置、屋根裏換気方法を提供する。
【課題を解決するための手段】
【００１２】
請求項１に記載された発明は、瓦裏面に設けられる第1換気孔と、前記第1換気孔に連なる換気通路と、前記換気通路の内壁に該通路の一部を閉塞し通路に対して略垂直に形成される堰部と、前記換気通路の外気側に形成される第2換気孔と、を備える換気筒部を有する、屋根裏換気用の換気瓦に装着される屋根裏換気用器具であって、
前記屋根裏換気用器具は、換気用器具本体部と第1換気孔開閉部と中仕切り部と金網装着部とを有し、装着時には前記換気用器具本体部は換気瓦の第1換気孔に嵌め込まれ固定され、前記第1換気孔開閉部と前記中仕切り部と前記金網装着部は前記換気通路内に収められ、
前記換気用器具本体部は、前記換気瓦第1換気孔と類似の形状を有し、
前記第1換気孔開閉部は、前記換気用器具本体部に設けられる開閉用開口部と前記開閉用開口部に設置される蓋部と、前記蓋部の前記換気通路側に設置されるバネ部と前記バネ部を固定するバネ保持部と、を有し、
前記バネ部は、バネ周辺の気温に依存して収縮・伸長する形状記憶合金製であって、
前記蓋部は、バネ部周辺の気温が高い時には前記バネ部が収縮して蓋が開けられ、逆にバネ部周辺の気温が低い時には前記バネ部が伸長して蓋が閉じられる構造を有し、
前記中仕切り部は、前記換気用器具本体部の1辺に一体化して略垂直に形成され、前記堰部の換気通路に対する垂直面と類似の形状を有し、装着時には前記堰部に密着固定され、
前記金網装着部は、前記中仕切り部に一方の端を固定され前記第２換気孔まで到達する細長の矩形板であって、固定されない側の端は折り曲げられて前記第2換気孔を塞ぐ金網を装着することができ、
前記形状記憶合金製のバネ部の伸縮によって、野地板の開口部と前記屋根裏換気用器具の第1換気孔開閉部を通じて、自然に屋根裏の換気を行い得ることを特徴とする。
【００１３】
請求項２に記載された発明は、屋根裏換気用器具付瓦であって、
瓦裏面に設けられる第1換気孔と、前記第1換気孔に連なる換気通路と、前記換気通路の内壁に該通路の一部を閉塞し通路に対して略垂直に形成される堰部と、前記換気通路の外気側に形成される第2換気孔と、を備える換気筒部を有する屋根裏換気用の換気瓦に、
請求項１に記載の屋根裏換気用器具を装着することを特徴とする。
【００１４】
請求項３に記載された発明は、野地板用保護板であって、
請求項２に記載の屋根裏換気用器具を装着することを特徴とする屋根裏換気用器具付換気瓦を野地板の上に葺く際に、前記屋根裏換気用器具付換気瓦を葺く位置に設けられる野地板の開口部と前記屋根裏換気用器具付換気瓦の間に設置されて、屋根裏換気用器具付換気瓦および野地板の開口部から雨水が屋根裏の中に侵入することを防御できる野地板用保護板であって、
前記野地板用保護板は第1保護板と第２保護板と、を有し、
前記第1保護板は、前記野地板の開口部に対峙する第1矩形孔部と、前記第1保護板の水上側の長辺に雨水の侵入防止用に前記屋根裏換気用器具付換気瓦側への立ち上がり縁部と、前記第1矩形孔部の水上側の長辺に雨水の侵入防止用に野地板側への折り曲げ縁部と、を有し、
前記第２保護板は前記第1保護板の上に配置され、前記第1矩形孔部より開口面積が小さく前記第1矩形孔部に含まれる大きさの第2矩形孔部を有し、前記第2矩形孔部は前記屋根裏換気用器具付換気瓦の第1換気孔の位置に対応して左右にスライドして孔の位置を調整することを可能とする構造であって、
前記第２保護板は雨水の侵入防止用として、第２矩形孔部の水下側の長辺に、前記第１矩形孔部を通過して野地板側に傾斜し、その外周に前記屋根裏換気用器具付換気瓦側への立ち上がり縁を有する受け皿部を備え、前記第２矩形孔部の前記長辺以外の外周部に前記屋根裏換気用器具付換気瓦側への立ち上がり縁を有し、
前記屋根裏換気用器具付換気瓦の第1換気孔の位置に対応して前記第2矩形孔部の位置調整をすることにより、野地板の開口部から屋根裏への雨水等の侵入を阻止できることを特徴とする。
【００１５】
請求項４に記載された発明は、屋根裏換気用器具付換気瓦装置であって、
請求項２に記載の屋根裏換気用器具付換気瓦と請求項３に記載の野地板用保護板とから構成され、
気温の変化に応じて屋根裏の自然換気を可能とすることを特徴とする。
【００１６】
請求項５に記載された発明は、屋根裏換気方法であって、
請求項４に記載の屋根裏換気用器具付換気瓦装置を屋根の棟付近の適当な位置に偶数個配置することにより、野地板の開口部からの雨水の侵入を阻止しつつ、気温の変化に応じて屋根裏の自然換気を実現することを特徴とする。
【発明の効果】
【００１７】
本発明により、何らの人工的なエネルギーを必要とせず、また、安価で、設置が容易であり、夏場には、屋根裏の空間の換気をし、冬場には屋根裏の空間の換気をしない機能を有する、屋根裏換気用器具、該屋根裏換気用器具付換気瓦、該屋根裏換気用器具付換気瓦装置、屋根裏換気方法を提供することにより、一般的な家屋の冷暖房に要するコストの削減に寄与できる。
【図面の簡単な説明】
【００１８】
【図１】本発明に係る屋根裏換気用器具を装着する換気瓦の構成を示す換気瓦の表面側から見た説明用斜視図である。
【図２】本発明に係る屋根裏換気用器具の構成を示す説明用斜視図である。
【図３】本発明に係る屋根裏換気用器具を装着する換気瓦の表面側から見た内部の構成を示す説明用斜視図である。
【図４】本発明に係る屋根裏換気用器具を装着する換気瓦の裏面側の構成を示す説明用斜視図である。
【図５】本発明に係る屋根裏換気用器具を装着された換気瓦の裏面側から見た内部の構成を示す説明用斜視図である。
【図６】本発明に係る屋根裏換気用器具を装着された換気瓦の裏面側の説明用平面図である。
【図７】本発明に係る屋根裏換気用器具を装着する換気瓦を屋根に葺いた様子を示す説明用斜視図である。
【図８】本発明に係る屋根裏換気用器具付換気瓦を屋根に葺く際に使用する野地板用保護板の構成を示す説明用斜視図である。
【図９】野地板用保護板の表面側（換気瓦に接する側）の構成を示す説明用正面図である。
【図１０】野地板用保護板の裏面側（野地板に接する側）の構成を示す説明用平面図である。
【図１１】野地板用保護板の構成を示すための説明用Ａ―Ａ切断線断面図である。
【図１２】本発明に係る屋根裏換気用器具付換気瓦を屋根に葺く際に使用する野地板用保護板を野地板上に設置する様子を示す説明用斜視図である。
【図１３】野地板用保護板の上に本発明に係る屋根裏換気用器具付換気瓦を設置する様子を示す説明用斜視図である。
【発明を実施するための形態】
【００１９】
本発明は、人工的なエネルギーを必要とせず、また安価で設置が容易であり、夏場には屋根裏の空間の換気をし、冬場には屋根裏の空間の換気をしない機能を有する、屋根裏換気用器具、該屋根裏換気用器具を装着する換気瓦、該屋根裏換気用器具付換気瓦を使用する屋根裏換気装置、屋根裏換気方法に係るものである。以下図面に基づいて、本発明に係る屋根裏換気用器具、該屋根裏換気用器具付換気瓦、屋根裏換気装置、屋根裏換気方法の実施の形態を説明する。
【実施例１】
【００２０】
図１は、本発明に係る屋根裏換気用器具を装着する換気瓦の構成を示す、換気瓦の表面側から見た説明用斜視図である。また図２は、図１の換気瓦の内部に装着される本発明に係る屋根裏換気用器具の構成を示す説明用斜視図である。
【００２１】
図１に示される屋根裏換気用の換気瓦は換気筒部を有し、換気筒部は瓦の裏面側に設けられる第1換気孔と、前記第1換気孔に連なる換気通路と、前記換気通路の内壁に該通路の一部を閉塞し通路に対して略垂直に形成される堰部と、前記換気通路の外気側に形成される第2換気孔と、を備える。１００は屋根裏換気用の換気瓦であり、１２１は換気瓦の表面、１２２は換気瓦の裏面であり、１１０は換気筒部であり、１０１は裏面１２２側に設けられる第1換気孔であり、１０２は前記第1換気孔１０１に連なる換気通路であり、１０３は換気通路の内壁に該通路の一部を閉塞し通路に対して略垂直に形成される堰部であり、１０４は換気通路の外気側に形成される第2換気孔である。
図３は本発明に係る屋根裏換気用器具を装着する換気瓦の表面側から見た内部の構成を示す説明用斜視図である。図３は、換気筒部１１０の換気通路１０２の瓦表面側の一部を切断して、換気通路内部の構成を示したものであって、紙面上方に示される屋根裏換気用器具２００は、換気筒部１１０の中に収められる。
【００２２】
図２に示されるように、本発明の屋根裏換気用器具は、図１における換気瓦の第１換気孔１０１に直接嵌め込まれる換気用器具本体部と、図１における換気瓦の第１換気孔１０１の一部を気温に応じて開閉し、その結果換気通路１０２が開閉・遮断される第1換気孔開閉部と、換気瓦の堰部１０３に直接固定される中仕切り部と、換気瓦の第２換気孔１０４を塞ぐ金網装着部と、を有する。ここで２００は屋根裏換気用器具であり、２１０は換気用器具本体部であり、２２０は第1換気孔開閉部であり、２３０は中仕切り部であり、２４０は金網装着部である。図１に示されるように、換気用器具本体部２１０は換気瓦の第1換気孔１０１に嵌め込まれ固定され、第1換気孔開閉部２２０と中仕切り部２３０と金網装着部２４０は換気通路１０２内に収められる。図１及び図２に示される本発明に係る屋根裏換気用器具２００は、換気瓦の換気筒部内部に装着されて、屋根裏換気用器具の形状記憶合金製のバネ部（図２の２２３参照）が空気の温度変化に伴って伸縮することにより、野地板の開口部と屋根裏換気用器具付換気瓦の間の空気の流れを調整して自然に屋根裏の換気を行い得ることを特徴とする。
【００２３】
図２に示されるように換気用器具本体部２１０は、換気瓦１００の第1換気孔１０１と類似の形状を有し、第1換気孔開閉部２２０は、前記換気用器具本体部２１０に設けられる開閉用開口部と前記開閉用開口部に設置される蓋部と、前記蓋部の換気通路側に設置されるバネ部と前記バネ部を固定するバネ保持部と、を有する。２２１は換気用器具本体部２１０に設けられる開閉用開口部であり、２２２は開閉用開口部に設置される蓋部であり、２２３は蓋部の換気通路側に設置されるバネ部であり、２２４はバネ部を固定するバネ保持部である。なお図２におけるバネ保持部２２４の形状は例示であって、これに限定されるものではない。
【００２４】
バネ部２２３は、バネ周辺の気温に依存して収縮・伸長する形状記憶合金製であって、蓋部２２２は、バネ部２２３周辺の気温が高い時には前記バネ部が収縮して蓋が開けられ、逆に、バネ部２２３周辺の気温が低い時には前記バネ部が伸長して蓋が閉じられる構造を有する。また、前記蓋部２２２は図２に示されるように、雨水が斜めに吹き上げてくるような悪天候の状況下であっても雨水が換気通路内部に入り込むことを防止するために、蓋部２２２の水上側が固定され、水下側がバネ２２３に引っ張られて換気筒部内に向かって開く構造になっている。本発明の屋根裏換気用器具２００は、バネ周辺の気温に応じて形状記憶合金製のバネ部２２３が伸縮し、第1換気孔開閉部２２０が開閉されることにより、野地板の開口部と前記第1換気孔開閉部を通じて自然に屋根裏の換気を行い得ることを特徴とする。
【００２５】
中仕切り部２３０は、換気用器具本体部２１０の1辺に一体化して略垂直に形成され、換気瓦堰部１０３の換気通路に対する垂直面と類似の形状を有し、また装着の際には堰部１０３に密着固定して設置されるために、屋根裏換気用器具２００は換気筒部内で安定して装着できる。
【００２６】
金網装着部２４０は、中仕切り部２３０に一方の端を固定されて換気瓦の第２換気孔１０４まで到達する細長の矩形板であって、固定されない側の端は折り曲げられて第2換気孔１０４を塞ぐ金網を装着することが可能である。２４１は金網装着部２４０の細長形状の腕部であり、２４２は該腕部２４１の固定されない側の端であって折り曲げられた部分である。２４２はステンレス製の雨水等侵入防止用金網をネジ止めで固定する用に孔が設けられる。ステンレス製の金網は図２では省略されているが、雨水や鼠等の小動物が瓦内部に侵入することの防止に役立つ。
【００２７】
図４は、屋根裏換気用器具２００を装着する換気瓦の裏面側の構成を示す説明用斜視図である。図４の紙面上方に示される屋根裏換気用器具は、瓦の裏側の第1換気孔１０１に装着される。また、この屋根裏換気用器具２００が装着された状態は図５で示され、図５は、屋根裏換気用器具を装着された換気瓦を裏面側から見たときの瓦内部の構成を示す説明用斜視図である。屋根裏換気用器具２００は、図４に示されるように換気用器具本体部２１０の形状は、瓦裏面１２２の第1換気孔１０１の形状と類似しているため、図５に示されるように、装着された屋根裏換気用器具の第1換気孔開閉部２２０の蓋部２２２が閉じる場合は瓦裏面１２２の第1換気孔１０１は塞がれて空気の流通は遮断される。
【００２８】
図６は、本発明に係る屋根裏換気用器具を装着された換気瓦の裏面側から見た説明用平面図である。図６は換気瓦に屋根裏換気用器具２００を装着され、バネ部２２３が伸びて蓋部２２３が閉じているため、瓦裏面の第1換気孔１０１は塞がれている。屋根裏換気用器具２００はバネ部２２３以外はステンレス製である。また図示されていないが、第2換気孔１０４には、金網装着部２４０に固定することで容易にステンレス製の金網を装着することができる。
【００２９】
図７は本発明に係る屋根裏換気用器具を装着する換気瓦を屋根に葺いた様子を示す説明用斜視図である。本発明の屋根裏換気用器具を装着する換気瓦を設置する場所と設置する換気瓦の数は個々の屋根の形状と屋根の面積に勘案して効果的に配置する。
【００３０】
夏季と冬季では、屋根に葺かれた瓦表面の温度には大きく相違があり屋根裏の空間の温度も相当異なるため、屋根裏の空間の温度に応じて屋根裏換気用器具の第1換気孔開閉部を開閉できることにより、気温に応じた屋根裏の効率的な換気が実現できる。夏季は屋根に降り注ぐ日射量が多いために、屋根に葺かれた瓦の温度は外気温より相当に高いものになり、屋根裏の空間の温度の上昇を招き、空気自体の熱伝導率は低いものの、徐々に、天井の下の屋内空間の温度の上昇を、招くこととなるので、屋根裏の空間の空気を換気すると、天井の下の屋内空間の温度の上昇を防止できる。逆に、冬季は、屋根裏の空間を換気しないことにより、天井の下の屋内空間の中の熱が外気に放出されてしまうことを防止できる。また、一般的な日本家屋においては断熱不足や気密性の不足によって、冬季には暖房による室内温度の上昇に伴い、室内の空気の熱伝導や空気の対流によって、屋根裏空間の温度の上昇が招かれ、それにより室内の暖房が切られた後に夜間に温度が下がることで屋根裏空間に結露を引き起こす場合が多く見られるが、屋根裏の空間の温度に応じて屋根裏換気用器具の第1換気孔開閉部を開閉できることにより、自然に屋根裏の空間の適度な換気が行われることで結露を防止することができて、家屋の耐久性を高める効果が期待できる。
また、天気によっても屋根に降り注ぐ日射量は変化し、晴れのときは屋根に降り注ぐ日射量は多いために瓦表面の温度は高くなるが、逆に雨の時は屋根に降り注ぐ日射量は少ないために瓦表面の温度は低くなろ。故に天気によっても瓦表面からの熱伝導に大きな差が生じて屋根裏空間の温度も変化する。従って、晴れのときには気温に応じて屋根裏換気用器具の第1換気孔開閉部が開閉して屋根裏の空間の空気を換気するが、雨量の多い時には屋根裏空間の温度は比較的低いために、屋根裏換気用器具の第1換気孔開閉部を閉じるまたは開口度合いが少ないと考えられ、これによって雨水の屋根裏への浸入防止も期待できる。
【００３１】
図８は本発明に係る屋根裏換気用器具付換気瓦を屋根に葺く際に使用する野地板用保護板の構成を示す説明用斜視図である。屋根裏換気用器具付換気瓦を屋根に葺く際には、換気瓦を葺く位置の野地板および野地板の上に貼られるルーフィングと呼ばれる樹脂製の下葺き材の適切な位置に開口部が設けられるが、悪天候の場合には該開口部から雨水が屋根裏の中に侵入することも想定される。そのため強風・豪雨等により換気瓦から開口部を通じて雨水が屋根裏に浸入することを未然に防止するために、野地板の開口部を保護することが有効であると考えられる。そこで発明者は、換気瓦を設置する際に野地板の開口部を保護するための野地板用保護板を設置する方法を考えた。また、瓦は焼き物であるため換気筒部の換気孔の位置は瓦毎に微妙に異なるが、該野地板用保護板を使用することによって、瓦毎に異なる換気孔の位置と野地板の開口部の位置合わせの微調整が容易にできて、屋根裏換気用器具付換気瓦装置を屋根に設置する作業時間の短縮が図れる。
【００３２】
図８において、矢印Ｕは水上方向を示し、矢印Dは水下方向を示す。図９，１０，１１においても同様である。また図９は本発明に係る屋根裏換気用器具付換気瓦を屋根に葺く際に使用する野地板用保護板の表面側（換気瓦に接する面側）の構成を示す説明用正面図である。
【００３３】
図８に示されるように、野地板用保護板はステンレス製であって、第1保護板と第２保護板から構成され、第1保護板の第２保護板と接していない側の面は、野地板の上に敷かれるルーフィングと呼ばれる樹脂製の下葺き材に接している。３００は野地板用保護板であり、３１０は第1保護板であり、３２０は第２保護板である。前記第1保護板３１０は、前記野地板の開口部に対峙する第1矩形孔部と、前記第1保護板３１０の水上側の長辺に雨水の浸入防止用に前記瓦側への立ち上がり縁部と、第1矩形孔部の水上側の長辺に雨水の浸入防止用に野地板側への折り曲げ縁部と、を備える。３１１は第1矩形孔部であり、３１２は第1保護板３１０の水上側の長辺に設けられる瓦側への立ち上がり縁部であり、３１３は第1矩形孔部３１１の水上側の長辺に設けられる野地板側への折り曲げ縁部である（図１１参照）。３１４は野地板用保護板を野地板に設置する際のネジ孔であり、第1保護板３１０の角近辺に４箇所設けられる。また屋根裏換気用器具付換気瓦を配置する位置に対応して、野地板の上に敷かれたルーフィングに設置された瓦桟４１０（図１２参照）に挟まれた適切な位置に野地板の開口部が設けられるが、該野地板の開口部４２０（図１２参照）の上に野地板用保護板の第1保護板３１０がネジ等で固定される。
【００３４】
また第２保護板３２０は前記第1保護板の上に配置され、第1矩形孔部より開口面積が小さく第1矩形孔部に含まれる大きさの第2矩形孔部を有する。野地板上で固定されている第1保護板に対して、第２保護板３２０は、前記第2矩形孔部が左右にスライドして孔の位置を調整することを可能とする構造である。３２１は第2矩形孔部であり、３２４は第２保護板３２０を左右にスライドさせ得るためのネジ孔部分であって、図８に示されるように第２保護板３２０の長辺付近に４箇所設けられる。
このような構成の野地板用保護板を用いる理由は、瓦は焼き物であるために換気瓦の換気筒部の換気孔の位置、特に第1換気孔１０１の大きさおよび位置は瓦毎に微妙に異なる。そのために、屋根裏換気用器具付換気瓦を設置する際に野地板の開口部と換気瓦の換気孔の位置を合わせることは容易ではなく、特に新築工事と異なり屋根のリフォームの場合には、既存の瓦の中に屋根裏換気用器具付換気瓦を設置するため、孔の位置を合わせをする作業を効率的に行うことは容易でないが、野地板用保護板３００の第２保護板３２０を左右にスライドさせることによって、瓦毎に異なる第1換気孔１０１の位置調整が容易にできて、設置時間の短縮化が図れるからである。
【００３５】
第２保護板３２０は第２矩形孔部３２１の水下側の長辺に、第２換気孔１０４から入り込む雨水をできる限り野地板に凍み込ませないための受け皿部を備え、該受け皿部は、その外周に前記瓦側への立ち上がり縁を有し、第１矩形孔部を通過して野地板側に傾斜する形状を有し、更に雨水の浸入防止用として前記第２矩形孔部の前記水下側長辺以外の外周部に前記瓦側への立ち上がり縁を有している。３２２は受け皿部であり、３２３は受け皿部の水下側の長辺以外の外周に設けられる瓦側への立ち上がり縁であり、３２５は第２矩形孔部３２１の受け皿部３２２を取り付ける長辺以外の外周部に設けられる瓦側への立ち上がり縁である（図１１参照）。このように屋根裏換気用器具付換気瓦を屋根に設置する際に、瓦の第1換気孔の位置および大きさに対応して容易に第2矩形孔部の位置調整をすることを可能とする野地板用保護板を使用することにより、雨水等の野地板の開口部から屋根裏への侵入を防止する効果が期待できる。
水下（みずしも）側の長辺以外の外周に立ち上がり縁を設置し、水下（みずしも）側には上がり縁を設置しない理由は、水上（みずかみ）側への雨水等の浸入を防止し、水下側の長辺以外の外周に立ち上がり縁より堰きとめられた水を水下側に流すためである。
【００３６】
図９は本発明に係る屋根裏換気用器具付換気瓦を屋根に葺く際に使用する野地板用保護板の表面側（換気瓦に接する側）の構成を示す説明用正面図である。
また、図１０は本発明に係る屋根裏換気用器具付換気瓦を屋根に葺く際に使用する野地板用保護板の裏面側（野地板に接する側）の構成を示す説明用平面図である。図８及び図１０に示されるように、受け皿３２２は第２矩形孔部３２１の水下側の長辺に溶接等により固定され、その面積は第１矩形孔部よりは小さく第２矩形孔部３２１よりは少し大きく、水上側の長辺が水下側長辺より若干長い台形形状である。
また、図１１は屋根裏換気用器具付換気瓦を屋根に葺く際に使用する野地板用保護板の構成を示すための説明用Ａ―Ａ切断線断面図である。図１１において、矢印Uが水上側、矢印Ｄが水下側を示し、紙面右側が野地板側、紙面左側が瓦側を示している。図１１に示されるように、受け皿３２２は第１矩形孔部を通過して野地板側に少し傾斜している。また第２矩形孔部３２１の受け皿３２２が設置される長辺以外の外周には瓦側への立ち上がり縁３２３を備えている。なお、この受け皿３２２の形状は例示であってこれに限定されるものではなく、第１矩形孔部及び第２矩形孔部から雨水が屋内に漏れることを阻むために有効な形状であればよい。図１１に示されるように、第1保護板３１０の水上側の長辺の瓦側への立ち上がり縁部３１２及び第1矩形孔部３１１の水上側の長辺の野地板側への折り曲げ縁部３１３の形状も同様に雨水の浸入防止用に有効である。
【００３７】
図１２は該野地板用保護板を本発明に係る屋根裏換気用器具付換気瓦を配置する場所に設置する様子を示す説明用斜視図である。図１２に示されるように、前記野地板用保護板３００は、野地板の上に設置される瓦桟４１０に挟まれた領域の、屋根裏換気用器具付換気瓦を配置する位置に設けられる野地板の開口部の上に設置・固定され、換気瓦は該野地板用保護板の上に設置される。４１０は野地板の上の瓦桟である。具体的には、第２矩形孔部３２１の位置を瓦の第１換気孔１０１の位置に合うように第２保護板３２０を左右にスライドさせて微調整する。図には示されていないが野地板用保護板３００は、屋根裏換気用器具付換気瓦と野地板に挟まれた空間に配置されている。
【００３８】
図１３は野地板用保護板３００の上に本発明に係る屋根裏換気用器具付換気瓦を設置する様子を示す説明用斜視図である。４００は屋根の棟部である。図１３に示すように屋根裏換気用器具付換気瓦１００は、屋根の棟部４００付近に設置される。屋根裏空間の効率的な空気の流れを作るために空気の出口と入口が必要とされることから、屋根裏換気用器具付換気瓦１００は屋根の正面に向かって左右２つで１セットとするために、屋根の表面積に応じて偶数個が設置される。また、屋根裏換気用器具付換気瓦１００は屋根裏換気のための換気孔面積の合計、即ち、屋根裏換気用器具のバネ部が収縮して蓋が開けられる際の第1換気孔開閉部２２０と蓋部２２２との隙間、及び野地板用保護板の第２矩形孔部３２１と受け皿３２２との隙間の面積の合計値が、家屋の天井面積の１６００分の１以上になるように、屋根裏換気用器具付換気瓦の配置される個数が決められる。
【産業上の利用可能性】
【００３９】
本発明に係る屋根裏換気用器具、該屋根裏換気用器具付換気瓦、該屋根裏換気用器具付換気瓦装置、屋根裏換気方法により、安価な費用で、人工的なエネルギーを用いないで、夏場には屋根裏の空間の換気をし、冬場には屋根裏の空間の換気をしない機能を有する、屋根裏換気用器具、該屋根裏換気用器具付換気瓦、該屋根裏換気用器具付換気瓦装置、屋根裏換気方法を提供できる。
【符号の説明】
【００４０】
１００      換気瓦
１０１      裏面１２２側に設けられる第1換気孔
１０２      第1換気孔１０１に連なる換気通路
１０３      換気通路の内壁に形成される堰部
１０４      第2換気孔
１１０      換気筒部
１２１      換気瓦の表面
１２２      換気瓦の裏面
２００      屋根裏換気用器具
２１０      換気用器具本体部
２２０      第1換気孔開閉部
２２１      開閉用開口部
２２２      蓋部
２２３      バネ部
２２４      バネ保持部
２３０      中仕切り部
２４０      金網装着部
２４１      腕部
２４２      金網装着部端部
３００      野地板用保護板
３１０      第1保護板
３１１      第1矩形孔部
３１２      第1保護板３１０の瓦側への立ち上がり縁部
３１３      第1矩形孔部３１１の野地板側への折り曲げ縁部
３１４      野地板に設置するためのネジ孔
３２０      第２保護板
３２１      第２矩形孔部
３２２      受け皿部
３２３      受け皿部の瓦側への立ち上がり縁
３２４      第２保護板３２０を左右にスライドさせ得るためのネジ孔部分
３２５      第２矩形孔部３２０の瓦側への立ち上がり縁
４００      棟部
４１０      瓦桟
４２０      野地板の開口部
U          水上側を示す矢印
D          水下側を示す矢印
【図１】
0005751925.tif 000002
【図２】
0005751925.tif 000003
【図３】
0005751925.tif 000004
【図４】
0005751925.tif 000005
【図５】
0005751925.tif 000006
【図６】
0005751925.tif 000007
【図７】
0005751925.tif 000008
【図８】
0005751925.tif 000009
【図９】
0005751925.tif 000010
【図１０】
0005751925.tif 000011
【図１１】
0005751925.tif 000012
【図１２】
0005751925.tif 000013
【図１３】
0005751925.tif 000014